(57)【要約】【課題】背圧付与手段として吸収体を備える構成において、液体の残量が減少した場合であっても、内部の液体に十分な背圧を付与することができる補給型液体貯留タンク、及び、この補給型液体貯留タンクを備える画像形成装置を提供する。【解決手段】内部に液体を補給可能な補給型液体貯留タンクは、内部に液体が補給されるタンク本体部と、液体を吸収する吸収体により構成され、前記タンク本体部内の液体に背圧を付与する背圧付与部材と、を備え、前記タンク本体部には、前記背圧付与部材による背圧付与機能を発揮させるために前記タンク本体部内に貯留しておくことが必要な液体の最少量の液面高さを示す機能下限指示部が設定されており、前記背圧付与部材の下端は、前記機能下限指示部以下の高さに位置していることを特徴とする。【選択図】図１
2020163717.tif 000002
【特許請求の範囲】
【請求項１】
内部に液体を補給可能な補給型液体貯留タンクであって、
内部に液体が補給されるタンク本体部と、
液体を吸収する吸収体により構成され、前記タンク本体部内の液体に背圧を付与する背圧付与部材と、
を備え、
前記タンク本体部には、前記背圧付与部材による背圧付与機能を発揮させるために前記タンク本体部内に貯留しておくことが必要な液体の最少量の液面高さを示す機能下限指示部が設定されており、
前記背圧付与部材の下端は、前記機能下限指示部以下の高さに位置していることを特徴とする補給型液体貯留タンク。
【請求項２】
前記タンク本体部には、さらに、前記タンク本体部内の液体の残量を使用者が目視により確認するための目視下限指示部が設けられており、
前記機能下限指示部は、前記目視下限指示部よりも下側に位置していることを特徴とする請求項１に記載の補給型液体貯留タンク。
【請求項３】
前記タンク本体部内を、液体が貯留される液体貯留部と、前記背圧付与部材が収容される背圧付与部材収容部と、に隔離するとともに、前記液体貯留部の前記目視下限指示部よりも下方部と前記背圧付与部材収容部の前記目視下限指示部よりも下方部とを連通する隔離壁を備え、
前記機能下限指示部は、前記隔離壁の下端以上の高さに位置していることを特徴とする請求項２に記載の補給型液体貯留タンク。
【請求項４】
前記タンク本体部には、さらに、前記タンク本体部内の液体の残量を液体の吐出量のカウント値に基づいて判定するための制御下限指示部が設けられており、
前記機能下限指示部は、前記制御下限指示部よりも下側に位置していることを特徴とする請求項１から３の何れか１項に記載の補給型液体貯留タンク。
【請求項５】
前記タンク本体部内の液体を流出する液体流出口を備え、
前記タンク本体部内の液体は、前記背圧付与部材を経由して前記液体流出口から流出することを特徴とする請求項１から４の何れか1項に記載の補給型液体貯留タンク。
【請求項６】
前記液体流出口は、前記背圧付与部材に対向する面の少なくとも一部が前記背圧付与部材に接触していることを特徴とする請求項５に記載の補給型液体貯留タンク。
【請求項７】
前記液体流出口は、前記背圧付与部材に対向する面の全部が前記背圧付与部材に接触していることを特徴とする請求項５に記載の補給型液体貯留タンク。
【請求項８】
前記液体流出口は、前記背圧付与部材に対向する面が前記背圧付与部材に接触しない非接触状態であることを特徴とする請求項５に記載の補給型液体貯留タンク。
【請求項９】
前記背圧付与部材とは別に補助吸収体を備えることを特徴とする請求項５から８の何れか１項に記載の補給型液体貯留タンク。
【請求項１０】
前記タンク本体部内の液体は、前記補助吸収体及び前記背圧付与部材のうち少なくとも何れか一方を経由して前記液体流出口から流出することを特徴とする請求項９に記載の補給型液体貯留タンク。
【請求項１１】
前記液体流出口は、前記補助吸収体及び前記背圧付与部材のうち少なくとも何れか一方に対向する面の少なくとも一部が前記補助吸収体に接触していることを特徴とする請求項１０に記載の補給型液体貯留タンク。
【請求項１２】
前記液体流出口は、前記補助吸収体及び前記背圧付与部材のうち少なくとも何れか一方に対向する面の全部が前記補助吸収体に接触していることを特徴とする請求項１０に記載の補給型液体貯留タンク。
【請求項１３】
前記液体流出口は、前記補助吸収体及び前記背圧付与部材のうち少なくとも何れか一方に対向する面が前記補助吸収体に接触しない非接触状態であることを特徴とする請求項１０に記載の補給型液体貯留タンク。
【請求項１４】
請求項１から１３の何れか１項に記載の補給型液体貯留タンクを備えることを特徴とする画像形成装置。
【発明の詳細な説明】
【技術分野】
【０００１】
本開示は、液体を補給可能な補給型液体貯留タンク、及び、この補給型液体貯留タンクを備える画像形成装置に関する。
【背景技術】
【０００２】
従来、例えばインクなどの液体を貯留する液体貯留タンクを備え、この液体貯留タンクに貯留された液体を消費するインクジェット式プリンタが知られている。そして、液体貯留タンクとしては、内部に液体を適宜補給可能な補給型の液体貯留タンクが知られている（例えば、特許文献１参照）。
【先行技術文献】
【特許文献】
【０００３】
【特許文献１】特開２０１８−１６１８５１号公報
【発明の概要】
【発明が解決しようとする課題】
【０００４】
ところで、インクジェット式プリンタにおいては、インクを吐出しない状態のノズルからインクが漏出しないように、液体貯留タンク内のインクに背圧つまり負圧を付与することで、ノズル先端部のインクにメニスカスを形成しておくことが要求される。そして、液体貯留タンク内のインクに背圧を付与する手段として、インクを吸収する吸収体を設けた構成が知られている。
【０００５】
しかしながら、背圧付与手段を吸収体で構成した場合、タンク内のインクの残量の減少により吸収体に十分な量のインクが供給されないようになると、十分な背圧をインクに付与することが困難となる。
【０００６】
本開示は上記事情に鑑みてなされたものであり、その目的は、背圧付与手段として吸収体を備える構成において、液体の残量が減少した場合であっても、内部の液体に十分な背圧を付与することができる補給型液体貯留タンク、及び、この補給型液体貯留タンクを備える画像形成装置を提供することである。
【課題を解決するための手段】
【０００７】
本開示に係る補給型液体貯留タンクは、内部に液体を補給可能な補給型液体貯留タンクであって、内部に液体が補給されるタンク本体部と、液体を吸収する吸収体により構成され、前記タンク本体部内の液体に背圧を付与する背圧付与部材と、を備え、前記タンク本体部には、前記背圧付与部材による背圧付与機能を発揮させるために前記タンク本体部内に貯留しておくことが必要な液体の最少量の液面高さを示す機能下限指示部が設定されており、前記背圧付与部材の下端は、前記機能下限指示部以下の高さに位置していることを特徴とする。
【０００８】
本開示に係る画像形成装置は、本開示に係る補給型液体貯留タンクを備えていることを特徴とする。
【０００９】
本開示によれば、タンク本体部内の液体に背圧を付与する背圧付与部材の下端は、背圧付与部材による背圧付与機能を発揮させるためにタンク本体部内に貯留しておくことが必要な液体の最少量を示す機能下限指示部以下の高さに位置している。この構成によれば、仮に、タンク本体部内に貯留されている液体の液面高さが機能下限指示部まで減少したとしても、背圧付与部材の下端が液体に浸漬した状態を維持することができ、背圧付与部材は、液体を吸収することができる。よって、背圧付与手段として吸収体を備える構成において、液体の残量が減少した場合であっても、タンク本体部の内部の液体に十分な背圧を付与することができる。
【図面の簡単な説明】
【００１０】
【図１】本開示に係る補給型液体貯留タンクの構成例を概略的に示す縦断面図
【図２】本開示に係る画像形成装置の構成例を概略的に示す図
【図３】本開示に係る補給型液体貯留タンクの変形例を概略的に示す図（その１）
【図４】本開示に係る補給型液体貯留タンクの変形例を概略的に示す図（その２）
【図５】本開示に係る補給型液体貯留タンクの変形例を概略的に示す図（その３）
【図６】本開示に係る補給型液体貯留タンクの変形例を概略的に示す図（その４）
【図７】本開示に係る補給型液体貯留タンクの変形例を概略的に示す図（その５）
【図８】本開示に係る補給型液体貯留タンクの変形例を概略的に示す図（その６）
【図９】本開示に係る補給型液体貯留タンクの変形例を概略的に示す図（その７）
【図１０】本開示に係る補給型液体貯留タンクの変形例を概略的に示す図（その８）
【発明を実施するための形態】
【００１１】
以下、本開示に係る一実施形態について図面を参照しながら説明する。図１に例示するインク貯留タンク１は、使用姿勢における補給型液体貯留タンクの一例であり、その外郭を構成するタンク本体部２の内部に背圧付与部材３を備えている。タンク本体部２の内部は、隔離壁４によって、インク貯留部５と背圧付与部材収容部６とに隔離されている。インク貯留部５は、液体貯留部の一例であり、内部にインクを貯留可能な空間を形成している。背圧付与部材収容部６は、内部に背圧付与部材３を収容している。背圧付与部材収容部６の上下方向の長さは、インク貯留部５の上下方向の長さよりも長くなっている。これにより、タンク本体部２の上壁部２ａは、高壁部２ａ１及び当該高壁部２ａ１よりも低い低壁部２ａ２を有する段状の壁部となっている。
【００１２】
隔離壁４は、インク貯留部５と背圧付与部材収容部６との境界部において、上方から下方に直線状に延びるように設けられている。隔離壁４の下端は、タンク本体部２の下壁部２ｂまで到達しておらず、これにより、隙間４ａを形成している。タンク本体部２の内部において、インク貯留部５のうち後述する目視下限指示部ＭＬ２を示す凸部２Ｌよりも下方部と背圧付与部材収容部６のうち後述する目視下限指示部ＭＬ２を示す凸部２Ｌよりも下方部とは、隔離壁４が形成している隙間４ａを介して相互に連通している。隔離壁４は、インクなどの液体を透過不能な壁部として構成されている。
【００１３】
また、インク貯留タンク１は、補助吸収体７を備えている。補助吸収体７は、隔壁部４が形成する隙間４ａを通してインク貯留部５及び背圧付与部材収容部６の双方に行き渡るようにして配置されている。補助吸収体７は、例えば、スポンジ、海綿体、毛管の束などのインクを吸収可能な手段により構成されており、インク貯留部５内から背圧付与部材収容部６内へのインクの移動を促進する機能を発揮する。
【００１４】
また、インク貯留タンク１は、インク注入口８を備えている。これにより、インク貯留タンク１は、インク注入口８を介して、タンク本体部２の内部に液体の一例であるインクを適宜補給可能となっている。即ち、インク貯留タンク１は、外部から内部にインクを補給可能な補給型のインク貯留タンクとして構成されている。インク注入口８は、液体注入口の一例である。
【００１５】
インク注入口８は、タンク本体部２の上壁部２ａに備えられている。この場合、インク注入口８は、タンク本体部２の上壁部２ａのうちインク貯留部５の上壁部を構成する低壁部２ａ２に備えられている。また、インク注入口８は、タンク本体部２の上壁部２ａ、この場合、低壁部２ａ２を上下方向に貫通しており、その下端がタンク本体部２の上壁部２ａから下方、つまり、タンク本体部２内、より具体的には、インク貯留部５内に突出した筒形状を備えている。また、インク注入口８は、その上端がタンク本体部２の上壁部２ａから上方に突出した構成となっている。また、インク貯留タンク１は、インク注入口８を密閉可能なキャップ８ａを着脱可能に備えている。
【００１６】
また、インク貯留タンク１は、大気連通口９を備えている。この場合、大気連通口９は、インク注入口８と同様に、タンク本体部２の上壁部２ａのうち低壁部２ａ２に備えられている。大気連通口９は、タンク本体部２の内外において大気を流通させるための開口である。
【００１７】
また、インク貯留タンク１には、機能下限指示部ＭＬ１が設定されている。機能下限指示部ＭＬ１は、背圧付与部材３による背圧付与機能を維持するためにタンク本体部２内に貯留しておくことが必要なインクの最小許容量の液面高さに相当する高さに設定されているラインである。また、機能下限指示部ＭＬ１は、少なくとも、タンク本体部２の上下方向の中央部よりも低い位置に設定されている。また、機能下限指示部ＭＬ１は、少なくとも、タンク本体部２の下壁部２ｂよりも高い位置に設定されている。
【００１８】
また、インク貯留タンク１は、タンク本体部２内のインクを外部に流出するためのインク流出口１０を備えている。これにより、インク貯留タンク１は、インク流出口１０を介して、記録ヘッド１１にインクを供給可能となっている。インク流出口１０は、タンク本体部２の下壁部２ｂに設けられている。この場合、インク流出口１０は、タンク本体部２の下壁部２ｂのうち背圧付与部材収容部６の下壁部を構成する部分に備えられている。なお、記録ヘッド１１には、例えばシートなどの画像形成対象物にインクを吐出する複数のノズルが備えられている。記録ヘッド１１は、タンク本体部２内から供給されるインクを用いて画像形成対象物に画像を形成する。
【００１９】
次に、上述した背圧付与部材３の構成例について具体的に説明する。背圧付与部材３は、液体、この場合、インクを吸収可能な吸収体により構成されている。背圧付与部材３を構成する吸収体としては、例えば、スポンジ、海綿体、毛管の束などのインクを吸収可能なものであれば適宜の手段を採用することができる。背圧付与部材３は、タンク本体部２の内部に補給されたインク、この場合、インク注入口８を介してインク貯留部５の内部に補給されたインクを、隙間４ａを通して吸収する。即ち、背圧付与部材３は、その下部からインクを吸収し、その吸収されたインクは、背圧付与部材３に対し下側から上側に向かって浸透するようになっている。
【００２０】
そして、この背圧付与部材３の少なくとも一部、この場合、下端は、上述した機能下限指示部ＭＬ１以下の高さに位置している。さらに、背圧付与部材３の下端は、目視下限指示部ＭＬ２以下の高さに位置している。目視下限指示部ＭＬ２は、タンク本体部２内のインクの液面高さを使用者が目視により確認するためのラインである。この場合、タンク本体部２の側壁部２ｃにおいて水平方向に直線状に延びる可視可能なライン、換言すれば、凸部２Ｌにより構成される物理的なライン構造が目視下限指示部ＭＬ２と同じ高さに設けられている。ユーザは、この物理的なライン構造の上下方向の高さが目視下限指示部ＭＬ２の高さであると視認することができる。なお、目視下限指示部ＭＬ２を示す物理的なライン構造は、側壁部２ｃから突出する凸部に限られず、例えば、側壁部２ｃにおいて窪む凹部であってもよいし、側壁部２ｃに直接印刷されたラベルや側壁部２ｃに貼付されたシールなどであってもよい。更に、ライン構造は、複数の凸型ドットや凹型ドットなど、タンク本体部２内に所定量貯留されているインクの液面高さに相当する高さを示すことができる構造であれば、どのような構造であってもよい。また、目視下限指示部ＭＬ２は、機能下限指示部ＭＬ１よりも高い位置に設定されている。つまり、機能下限指示部ＭＬ１は、目視下限指示部ＭＬ２よりも下側に位置している。
【００２１】
さらに、背圧付与部材３の下端は、制御下限指示部ＭＬ３以下の高さに位置している。制御下限指示部ＭＬ３は、タンク本体部２内の液体の残量をコンピュータが確認するためのラインである。この場合、制御下限指示部ＭＬ３は、タンク本体部２の側壁部２ｃにおいて水平方向に直線状に延びるラインとして設定されている。また、制御下限指示部ＭＬ３は、機能下限指示部ＭＬ１よりも高い位置であって、且つ、目視下限指示部ＭＬ２よりも低い位置に設定されている。つまり、制御下限指示部ＭＬ３は、機能下限指示部ＭＬ１と目視下限指示部ＭＬ２との間に位置している。また、機能下限指示部ＭＬ１は、制御下限指示部ＭＬ３よりも下側に位置している。
【００２２】
なお、制御下限指示部ＭＬ３は、目視下限指示部ＭＬ２よりも高い位置に設定してもよい。また、この制御下限指示部ＭＬ３を参照するコンピュータとしては、例えば、後述する画像形成装置１００の動作全般を制御する図示しない制御装置などが考えられる。制御装置は、マイクロコンピュータを主体として構成されるものであり、例えば、記録ヘッド１１のノズルから吐出したインクの吐出量をカウントし、このカウント値に基づいて、タンク本体部２内のインクの残量が制御下限指示部ＭＬ３まで減少したか否かを判定する。
【００２３】
また、インク貯留タンク１は、タンク本体部２の内部において、背圧付与部材３とインク注入口８との間にインク貯留部５及び隔離壁４が介在した構成となっている。そのため、インク注入口８は、背圧付与部材３に直接的に接触しない非接触状態となるように備えられている。
【００２４】
図２に例示するように、本開示に係るインク貯留タンク１は、例えばインクジェット式プリンタなどの画像形成装置１００に備えられる。この場合、画像形成装置１００は、画像形成対象物に対する画像形成時に往復移動するキャリッジ１０１にインク貯留タンク１を備えるオンキャリッジ型の装置として構成されている。なお、画像形成装置１００は、キャリッジ以外の部分にインク貯留タンク１を備えるオフキャリッジ型の装置であってもよい。また、画像形成装置１００は、往復移動しないライン状の画像形成部を備える装置であってもよい。また、画像形成装置１００は、インク貯留タンク１を着脱可能に備える装置であってもよいし、着脱不能に備える装置であってもよい。また、画像形成装置１００は、インクによって画像を形成する装置に限られず、インク以外の液体によって画像を形成する装置であってもよい。
【００２５】
以上に説明したインク貯留タンク１によれば、タンク本体部２内のインクに背圧を付与する背圧付与部材３の下端は、機能下限指示部ＭＬ１以下の高さに位置している。この構成によれば、仮に、タンク本体部２内のインクの残量が機能下限指示部ＭＬ１まで減少したとしても、背圧付与部材３の下端がインクに浸漬した状態を維持することができ、従って、背圧付与部材３は、インクを吸収することができる。よって、背圧付与手段として吸収体からなる背圧付与部材３を備える構成において、インクの残量が減少した場合であっても、タンク本体部２の内部のインクに十分な背圧を付与することができる。
【００２６】
また、インク貯留タンク１によれば、機能下限指示部ＭＬ１は、目視下限指示部ＭＬ２よりも下側に位置している。この構成によれば、タンク本体部２内のインクの残量が機能下限指示部ＭＬ１まで減少する前に、使用者に、タンク本体部２内のインクの残量が少なくなっていること気付かせやすくすることができる。これにより、タンク本体部２内へのインクの補給を早期に促すことができ、インクに十分な背圧が付与されない状態が発生してしまうことを抑制することができる。なお、タンク本体部２のうち少なくとも目視下限指示部ＭＬ２が形成されている部分およびその周辺部分は、内部のインクの水面を確認できるよう、例えば透明あるいは半透明の窓部を設けるようにするとよい。また、タンク本体部２全体を透明あるいは半透明の部材により設けてもよい。
【００２７】
また、インク貯留タンク１によれば、機能下限指示部ＭＬ１は、制御下限指示部ＭＬ３よりも下側に位置している。この構成によれば、タンク本体部２内のインクの残量が機能下限指示部ＭＬ１まで減少する前に、例えば画像形成装置１００の制御装置によって、タンク本体部２内のインクの残量が少なくなっていることを報知することができる。これにより、タンク本体部２内へのインクの補給を早期に促すことができ、インクに十分な背圧が付与されない状態が発生してしまうことを抑制することができる。
【００２８】
また、インク貯留タンク１によれば、機能下限指示部ＭＬ１は、インク流出口１０の上端よりも上側に位置し、かつ、背圧付与部材３及び補助吸収体７のうち少なくとも何れか一方の下端より上側に位置している。よって、インク貯留タンク１によれば、仮に、タンク本体部２内のインクの残量が機能下限指示部ＭＬ１まで減少したとしても、タンク本体部２内のインクは、背圧付与部材３及び補助吸収体７を必ず経由してインク流出口１０から流出する構成となっている。なお、仮に機能下限指示部ＭＬ１がインク流出口１０の上端よりも下側に位置する場合には、インク流出口１０に直接空気が流入する可能性があり、この場合、図示しない記録ヘッドのノズルからインクを吐出できなくなる現象、いわゆる吐出不良が発生する可能性がある。そのため、本実施形態に係るインク貯留タンク１によれば、このような吐出不良の発生を抑制することができる。
【００２９】
なお、本開示は、上述した一実施形態に限定されるものではなく、その要旨を逸脱しない範囲で様々な変形、拡張が可能である。
【００３０】
即ち、図３に例示するように、機能下限指示部ＭＬ１は、隔離壁４の下端以上の高さに位置する構成としてもよい。この構成によれば、仮に、タンク本体部２内のインクの残量が機能下限指示部ＭＬ１まで減少したとしても、インク貯留部５内から背圧付与部材収容部６内へのインクの流路となる隙間４ａをインクで満たすことができ、インク貯留部５内から背圧付与部材収容部６内の背圧付与部材３に空気が流れてしまうことを回避することができる。
【００３１】
また、図４に例示するように、インク流出口１０は、補助吸収体７に対向する面の少なくとも一部が当該補助吸収体７に接触する構成としてもよい。また、図５または図６に例示するように、インク流出口１０は、補助吸収体７に対向する面の全部が当該補助吸収体７に接触する構成としてもよい。即ち、インク貯留タンク１は、少なくとも、タンク本体部２内のインクが補助吸収体７を必ず経由してインク流出口１０から流出する構成であれば、細部の構成を適宜変更することが可能である。なお、インク流出口１０は、補助吸収体７及び背圧付与部材３のうち少なくとも何れか一方に対向する面の少なくとも一部が補助吸収体７に接触している構成としてもよい。また、インク流出口１０は、補助吸収体７及び背圧付与部材３のうち少なくとも何れか一方に対向する面の全部が補助吸収体７に接触している構成としてもよい。即ち、インク貯留タンク１は、少なくとも、タンク本体部２内のインクが補助吸収体７及び背圧付与部材３のうち少なくとも何れか一方を必ず経由してインク流出口１０から流出する構成であればよい。
【００３２】
また、図７または図８に例示するように、タンク本体部２内のインクが補助吸収体７を必ず経由してインク流出口１０から流出する構成である限り、インク流出口１０は、補助吸収体７に対向する面が当該補助吸収体７に接触しない非接触状態となる構成であってもよい。
【００３３】
即ち、図７に例示する構成例では、インク流出口１０の上流側にタンク本体部２内に突出するリブ１０ａが設けられており、補助吸収体７は、リブ１０ａ上に接触した状態で備えられている。この構成においては、リブ１０ａと補助吸収体７とによって囲まれる閉空間Ｓ１が形成される。この構成によっても、タンク本体部２内のインクは、補助吸収体７を必ず経由してインク流出口１０から流出する。そのため、本開示に係る技術思想に含めることができる。
【００３４】
また、図８に例示する構成例では、インク流出口１０の上流側にタンク本体部２内に突出するリブ１０ａが設けられており、補助吸収体７は、リブ１０ａから離間した状態で備えられているが、タンク本体部２の内面に接触した状態で備えられている。この構成においては、タンク本体部２の内面と補助吸収体７とによって囲まれる閉空間Ｓ２が形成される。この構成によっても、タンク本体部２内のインクは、補助吸収体７を必ず経由してインク流出口１０から流出する。そのため、本開示に係る技術思想に含めることができる。なお、インク流出口１０は、補助吸収体７及び背圧付与部材３のうち少なくとも何れか一方に対向する面が補助吸収体７に接触しない非接触状態である構成であればよい。
【００３５】
また、図９に例示するように、大気連通口９は、タンク本体部２の上壁部２ａのうち高壁部２ａ１及び低壁部２ａ２の両方に設けてもよいし、何れか一方に設けてもよい。
【００３６】
また、図１０に例示するように、インク貯留タンク１は、隔離壁４を備えない構成としてもよい。この場合、背圧付与部材３は、上述の一実施形態においてインク貯留部５を形成していた部分にも設けるようにしてもよい。この場合、背圧付与部材３の上部は、高部３ａ１及び当該高部３ａ１よりも低い低部３ａ２を有する段状となる。そして、この構成においても、機能下限指示部ＭＬ１は、少なくとも、背圧付与部材３の下端以上の高さに位置させるとよい。なお、この場合も、インク注入口８は、背圧付与部材３に接触しない非接触状態となるように備えるとよい。また、この場合、インク貯留タンク１は、補助吸収体７も備えない構成とすることができる。また、この場合、大気連通口９は、タンク本体部２の上壁部２ａのうち背圧付与部材収容部６を構成する高壁部２ａ１に設けてもよい。
【００３７】
なお、インク貯留タンク１は、隔離壁４を備える構成においては、大気連通口９を高壁部２ａ１ではなく低壁部２ａ２に設けることが好ましい。また、インク貯留タンク１は、隔離壁４を備えない構成においては、大気連通口９を低壁部２ａ２ではなく高壁部２ａ１に設けることが好ましい。なお、大気連通口９について最も好ましい配置位置は、インク貯留タンク１が隔離壁４を備える構成において低壁部２ａ２に設ける構成である。
【００３８】
また、背圧付与部材３は、複数の背圧付与ブロックからなる構成としてもよい。この場合、複数の背圧付与ブロックの液体の吸収性能を異ならせることで、背圧付与部材３全体としての液体の吸収性能、ひいては、背圧付与性能を容易に調整することができる。また、この場合、下側に配置される背圧付与ブロックほど液体の吸収性能を高くし、上側に配置される背圧付与ブロックほど液体の吸収性能を低くするとよい。これにより、背圧付与部材３の上部において、液体が吸収されにくい部位を形成しやすくすることができ、背圧付与部材３全体に液体が浸透してしまうこと、換言すれば、背圧付与部材３の背圧付与機能が低下あるいは消滅してしまうことを回避することができる。
【符号の説明】
【００３９】
１：インク貯留タンク（補給型液体貯留タンク）、２：タンク本体部、３：背圧付与部材、４：隔離壁、５：インク貯留部（液体貯留部）、６：背圧付与部材収容部、７：補助吸収体、１０：インク流出口（液体流出口）、１００：画像形成装置、ＭＬ１：機能下限指示部、ＭＬ２：目視下限指示部、ＭＬ３：制御下限指示部
【図１】
2020163717.tif 000003
【図２】
2020163717.tif 000004
【図３】
2020163717.tif 000005
【図４】
2020163717.tif 000006
【図５】
2020163717.tif 000007
【図６】
2020163717.tif 000008
【図７】
2020163717.tif 000009
【図８】
2020163717.tif 000010
【図９】
2020163717.tif 000011
【図１０】
2020163717.tif 000012